(57)【特許請求の範囲】
【請求項１】
回転支持部を有する開口部を一端に備え、他端側の内底面に導出用の端子を有する一対の固定接点を備えると共に、内底面略中央部に凸状の支点部を備えた絶縁材料製で上面開放の箱形のケースと、このケースの回転支持部により回動可能に支持される軸部を備え、この軸部の一側方にケースの開口部から外方に突出する操作部を、他の側方に操作部を押下することによりケース内部で上方に移動する駆動部を備えた操作体と、上記ケースの一対の固定接点に接離可能に配置された可動接点となる第一端部および上記操作体の駆動部上面に載置された第二端部のそれぞれの両側端部が連結部で連結され、この連結部の中間部が上記ケース内底面の支点部に当接すると共に、上記第一端部の内端につながって上方へ曲げ起こされ、先端が上記支点部位置よりも操作体側へ延設された舌片部を有する弾性薄板製の可動接点体と、この可動接点体の舌片部先端を押圧して上記連結部を上記ケース内底面の支点部に圧接させると共に、上記第二端部が上記操作体の駆動部を押下するように上記ケースに固着されてケース上面を覆うカバーからなるスイッチ。
【請求項２】
可動接点体を、略長方形の弾性金属薄板製で、略中央部にコ字状のスリットを設け、中央部の舌片部を上方へ曲げ起こして設けた請求項１記載のスイッチ。
【請求項３】
操作体の操作部先端部を、操作部根元部の厚さよりも大きな直径の略円柱形状とした請求項１または２記載のスイッチ。
【請求項４】
ケースの内底面に導出用の端子を有する一対の固定接点を、インサート成形固定すると共に、ケース裏面に導出される端子の周囲に所定の間隔をおいて溝部を設けた請求項１〜３のいずれか一つに記載のスイッチ。
【請求項５】
可動接点体の舌片部先端に略円弧状の突起部を設け、この突起部の根元側上面に当接するようにカバー下面に突部を設けた請求項１〜４のいずれか一つに記載のスイッチ。
【請求項６】
操作体の駆動部上面に可動接点体の水平方向の動作を規制する段差または突起を設けると共に、駆動部上面を軸部の回転中心位置より下方または上方にずらして設けた請求項１〜５のいずれか一つに記載のスイッチ。
【請求項７】
カバーを金属製にして導出用の端子を設け、可動接点体を介して、ケースに備えた複数の固定接点との間にスイッチ回路を構成した請求項１〜６のいずれか一つに記載のスイッチ。
【請求項８】
請求項１〜７のいずれか一つに記載のスイッチによって記録媒体の有無やメカニズムの動作を検出するように設定された電子機器。
【発明の詳細な説明】
【０００１】
【発明の属する技術分野】
本発明は、各種電子機器において、記録媒体の有無やメカニズムの動作検出等に用いられるスイッチおよびこれを用いた電子機器に関するものである。
【０００２】
【従来の技術】
従来のスイッチについて、図１４〜図１８を用いて説明する。
【０００３】
図１４は従来のスイッチの側面断面図、図１５は同ケース底面の平面図、図１６は同分解斜視図であり、同図において、１は略升状に形成され内部底面に固定接点２Ａを有する固定端子２と固定接点３Ａを有する固定端子３を平面状に植設したケース、４は弾性を有する金属薄板製の導電部材からなり、略Ｕ字状に曲げ加工された可動部４Ｆと、一辺の端部が外側に曲げ起こされた係止部４Ａと、他辺には先端に可動接点４Ｂ，４Ｃをそれぞれ有する舌片４Ｄ，４Ｅを形成した接触片、５は成形部材からなり、一端に前記ケース１に回動可能に係止される支点部５Ａを持つ操作レバーであり、その下面部に上記接触片４の可動部４Ｆが当接し、また支点部５Ａの下部のＶ字状の係止部５Ｂに接触片４の係止部４Ａが係止されている。
【０００４】
そして、接触片４は操作レバー５とケース１の内部底面の間で少し撓んだ状態で装着されており、可動接点４Ｂが固定接点２Ａに圧接している。
【０００５】
次に、このスイッチの動作について図面を用いて説明する。
【０００６】
図１４は通常状態を示しており、可動接点４Ｂは常に固定接点２Ａと圧接している。
【０００７】
そして、操作レバー５の押し下げ動作を開始すると、接触片４の可動部４Ｆが操作レバー５の支点部５Ａを中心として回動し、可動接点４Ｂは常に固定接点２Ａに圧接したまま摺動する。
【０００８】
また、可動接点４Ｃは内部底面上を摺動し、所定距離だけ移動すると固定接点３Ａと摺接して図１７のオン状態となり、さらに操作レバー５を押し下げると、可動接点４Ｃは固定接点３Ａに圧接したままＸ方向にスライドし、図１８の状態となる。
【０００９】
ここで、係止部４Ａと可動接点４Ｂ，４Ｃの間には、ばねのたわみＡに応じた反発力Ｆが発生しており、両者間の距離Ｅ＞０の状態のとき（図１８中の係止部４Ａに対して左側を正とする）Ｅ×Ｆの回転モーメントが時計回り方向に発生することになる。
【００１０】
従って、操作レバー５の押し下げ力を除去すると、接触片４の復帰力により図１４の通常状態に復帰し、一連の動作が完了する。
【００１１】
【発明が解決しようとする課題】
しかしながら上記従来のスイッチにおいては、操作レバー５の下面部に配された略Ｕ字状の弾性を有する金属薄板製の接触片４を駆動させることにより、スイッチをオン・オフする構造なので、接触片４をケース１に収納し、動作させるためにはケース１の高さ方向の寸法が積み重ねにより大きくなるため、小型・薄型のスイッチを要求される電子機器には使用しにくいという課題があった。
【００１２】
本発明は、このような従来の課題を解決するものであり、小型・薄型で、かつ接触安定性の高いスイッチおよびこれを用いた電子機器の提供を目的とする。
【００１３】
【課題を解決するための手段】
上記目的を達成するために本発明のスイッチは、回転支持部を有する開口部を一端に備え、他端側の内底面に一対の固定接点を備えると共に、内底面略中央部に支点部を備えた上面開放の箱形のケースと、このケースの回転支持部により回動可能な軸部を備え、この軸部の一側方にケースの開口部から外方に突出する操作部を、他の側方にケース内部で上方に移動する駆動部を備えた操作体と、上記ケースの一対の固定接点に接離可能に配置された可動接点となる第一端部および上記操作体の駆動部上面に載置された第二端部のそれぞれの両側端部が連結部で連結され、この連結部の中間部が上記ケース内底面の支点部に当接すると共に、上記第一端部の内端につながって上方へ曲げ起こされ、先端が上記支点部位置よりも操作体側へ延設された舌片部を有する可動接点体と、この可動接点体の舌片部先端を押圧して連結部を上記ケース内底面の支点部に圧接させると共に、可動接点体の第二端部が上記操作体の駆動部を押下するようにケース上面を覆って固着されたカバーからなる構成としたものである。
【００１４】
これにより、ケース内部に配置した弾性薄板製の可動接点体とケースの一端に回動可能に備えた操作体をそれぞれ横方向に配置して、可動接点体の第二端部を、操作体により駆動してスイッチを動作させることができ、高さ方向の寸法を小さくすることができるのでスイッチ全体を小型・薄型化でき、かつ接触安定性の高いスイッチおよびこれを用いた電子機器を提供することができるものである。
【００１５】
【発明の実施の形態】
本発明の請求項１に記載の発明は、回転支持部を有する開口部を一端に備え、他端側の内底面に導出用の端子を有する一対の固定接点を備えると共に、内底面略中央部に凸状の支点部を備えた絶縁材料製で上面開放の箱形のケースと、このケースの回転支持部により回動可能に支持される軸部を備え、この軸部の一側方にケースの開口部から外方に突出する操作部を、他の側方に操作部を押下することによりケース内部で上方に移動する駆動部を備えた操作体と、上記ケースの一対の固定接点に接離可能に配置された可動接点となる第一端部および上記操作体の駆動部上面に載置された第二端部のそれぞれの両側端部が連結部で連結され、この連結部の中間部が上記ケース内底面の支点部に当接すると共に、上記第一端部の内端につながって上方へ曲げ起こされ、先端が上記支点部位置よりも操作体側へ延設された舌片部を有する弾性薄板製の可動接点体と、この可動接点体の舌片部先端を押圧して上記連結部を上記ケース内底面の支点部に圧接させると共に、上記第二端部が上記操作体の駆動部を押下するように上記ケースに固着されてケース上面を覆うカバーからなるスイッチとしたものであり、ケース内部に配置した弾性薄板製の可動接点体とケースの一端に回動可能に備えた操作体をそれぞれ横方向に配置して、可動接点体の第二端部を、操作体により駆動してスイッチを動作させることができ、高さ方向の寸法を小さくすることができるのでスイッチ全体を小型・薄型化できると共に、操作体の操作部を押下することにより、可動接点体はまずケースの支点部を支点に回動するが、さらに操作体を押下させると、可動接点がケースの固定接点に当接（オン状態）し、その後、可動接点体は可動接点と固定接点の当接部を支点に回動することにより、可動接点体の連結部がケースの支点部から離れるので、可動接点と固定接点が当接する前（オフ状態）と当接した後（オン状態）では、可動接点体に加わる力の位置関係（バランス）が変化するので、当接（オン状態）直後から一定の接触圧力を確保でき、一般的に用いられるスイッチの開閉接点の場合のような、接点オン時点から徐々に接触圧力が増大するものに対し、接触安定性の優れたスイッチを実現することができるという作用を有する。
【００１６】
請求項２に記載の発明は、請求項１記載の発明において、可動接点体を、略長方形の弾性金属薄板製で、略中央部にコ字状のスリットを設け、中央部の舌片部を上方へ曲げ起こして設けたものであり、請求項１で記載した作用に加え、折り曲げ加工が舌片部のみなので、製作し易く、安価にできるという作用を有する。
【００１７】
請求項３に記載の発明は、請求項１または２記載の発明において、操作体の操作部先端部を、操作部根元部の厚さよりも大きな直径の略円柱形状としたものであり、スイッチを電子機器等の配線基板へ装着した場合に、操作体の操作部に被検出物により過負荷が加わっても、操作部先端の略円柱形状の先端部のみで、被検出物と配線基板に当接させ、操作部の先端部を除く箇所に直接被検出物による押圧力が加わらないようにしたことにより、スイッチ本体に過負荷を加えることがなく、スイッチの損傷を抑えることができるという作用を有する。
【００１８】
請求項４に記載の発明は、請求項１〜３のいずれか一つに記載の発明において、ケースの内底面に導出用の端子を有する一対の固定接点を、インサート成形固定すると共に、ケース裏面に導出される端子の周囲に所定の間隔をおいて溝部を設けたものであり、ケースを簡易に形成できると共に、配線基板等に対して実装する時に、フラックスがスイッチ内部に侵入することを抑止することができるという作用を有する。
【００１９】
請求項５に記載の発明は、請求項１〜４のいずれか一つに記載の発明において、可動接点体の舌片部先端に略円弧状の突起部を設け、この突起部の根元側上面に当接するようにカバー下面に突部を設けたものであり、可動接点体を容易に位置規制することができ、オン位置精度が高く、接触信頼性が安定したスイッチを実現することができるという作用を有する。
【００２０】
請求項６に記載の発明は、請求項１〜５のいずれか一つに記載の発明において、操作体の駆動部上面に可動接点体の水平方向の動作を規制する段差または突起を設けると共に、駆動部上面を軸部の回転中心位置より下方または上方にずらして設けたものであり、操作体の操作部を押下することにより、可動接点体はケースの支点部を支点に回動し、可動接点がケースの固定接点に当接すると共に、操作体の駆動部の回転運動の水平成分により、可動接点体が水平方向にも移動するので、接点間を摺動させることができ接触安定性の優れたスイッチを実現することができるという作用を有する。
【００２１】
請求項７に記載の発明は、請求項１〜６のいずれか一つに記載の発明において、カバーを金属製にして導出用の端子を設け、可動接点体を介して、ケースに備えた複数の固定接点との間にスイッチ回路を構成したものであり、開閉接点を複数個並列接続した接点構成にすることができ、接触信頼性に優れたスイッチを実現することができるという作用を有する。
【００２２】
請求項８に記載の発明は、請求項１〜７のいずれか一つに記載のスイッチによって記録媒体の有無やメカニズムの動作を検出するように設定された電子機器としたものであり、スイッチの薄さを活かし、小型・薄型の電子機器を構成することができるという作用を有する。
【００２３】
以下、本発明の実施の形態について、図面を用いて説明する。
【００２４】
（実施の形態１）
図１は本発明の第１の実施の形態によるスイッチの側面断面図、図２は同分解斜視図、図３は同動作状態を示す側面断面図である。
【００２５】
同図において１１は絶縁材料製で上面開放の箱形のケースであり、一端に回転支持部１１Ａを有する開口部１１Ｂを有し、これと対向した他端側の内底面１１Ｃには第一固定接点１２Ａを有する金属製の第一端子１２と第二固定接点１３Ａを有する金属製の第二端子１３が一対となって植設され、内底面１１Ｃ中央部には凸状の支点部１１Ｄ、および外周側面には係合用の突部１１Ｅを有する。
【００２６】
１６は操作体であり、上記ケース１１の回転支持部１１Ａにより回動可能に支持される軸部１６Ａを備え、軸部１６Ａの一側方にはケース１１の開口部１１Ｂから外方に突出し、ケース１１の高さより上方へ所定寸法延出された操作部１６Ｂを有し、他方には操作部１６Ｂを押下げて軸部１６Ａを中心に回動させた時にケース１１内部で上方に移動する駆動部１６Ｃを備えている。
【００２７】
１４は略長方形の弾性金属薄板の略中央部にコ字状のスリットを設け、中央部の舌片部１４Ｄを斜め上方へ曲げ起こして形成された可動接点体であり、ケース１１の一対の固定接点１２Ａ，１３Ａに接離可能に配置された可動接点となる第一端部１４Ａと、その反対側に操作体１６の駆動部１６Ｃ上面に載置された第二端部１４Ｂを有し、第一端部１４Ａと第二端部１４Ｂのそれぞれの両側端部を平行に連結する連結部１４Ｃの中間部がケース１１の支点部１１Ｄに当接している。
【００２８】
また、中央部の舌片部１４Ｄは第一端部１４Ａの内端につながって所定の角度で斜め上方へ曲げ起こされ、舌片部１４Ｄ先端が上記ケース１１の支点部１１Ｄの位置よりも操作体１６側へ延設されている。
【００２９】
そして、１５はケース１１上面を覆う上底となるカバーで、側方に設けたスナップ部１５Ｃでケース１１外周側面の係合用の突部１１Ｅに係合固定されており、その下面により可動接点体１４の舌片部１４Ｄ先端部を押圧して、可動接点体１４の連結部１４Ｃを上記ケース１１の支点部１１Ｄに圧接させると共に、第二端部１４Ｂで操作体１６の駆動部１６Ｃを押下させている。
【００３０】
本実施の形態によるスイッチは以上のように構成されるものであり、通常状態を示す図１において、可動接点体１４は第二端部１４Ｂ、連結部１４Ｃおよび舌片部１４Ｄ先端部の３点（矢印部イ、ロ、ハ）のそれぞれに加わる力の位置関係が、可動接点体１４の第二端部１４Ｂで操作体１６の駆動部１６Ｃ上面を押下した状態で安定するように設定されており、可動接点となる第一端部１４Ａとその下方の第一固定接点１２Ａおよび第二固定接点１３Ａが所定の間隔を有することにより、スイッチはオフ状態となっており、第一端子１２と第二端子１３の間は導通していない。
【００３１】
また、操作体１６は操作部１６Ｂを押下することにより、軸部１６Ａを中心に回動するが、操作部１６Ｂを押下しない場合は、操作部１６Ｂの根元部上面がカバー１５の下面に当接することにより回転止めになり、操作部１６Ｂを押下した場合は、軸部１６Ａから駆動部１６Ｃ寄りの上面がカバー１５の下面に当接することにより回転止めになっている。
【００３２】
次に、このように構成されたスイッチの操作体１６の操作部１６Ｂを押圧した時の動作を説明すると、図１の通常状態から操作体１６の操作部１６Ｂを垂直または水平方向より押圧操作して操作体１６を矢印Ｆ方向へ回動させると、まず可動接点体１４は、第二端部１４Ｂが操作体１６の駆動部１６Ｃにより上方へ持ち上げられ、ケース１１の支点部１１Ｄに接している連結部１４Ｃを中心に回転し、可動接点となる第一端部１４Ａがケース１１の固定接点１２Ａ，１３Ａに接触し、図３（ａ）の側面断面図に示すようにスイッチがオン状態となり、第一端子１２と第二端子１３の間は導通される。
【００３３】
そして、さらに操作体１６を矢印Ｆ方向へ回動させると、図３（ｂ）に示すように可動接点体１４は、連結部１４Ｃがケース１１の支点部１１Ｄから離れ、この時、可動接点体１４は可動接点となる第一端部１４Ａ、第二端部１４Ｂおよび舌片部１４Ｄ先端部の３点（矢印部ニ、イ、ハ）のそれぞれに加わる力の位置関係に切替り、これによりオン状態直後から安定した接触圧力が得られる。
【００３４】
次に、操作部１６Ｂに対する矢印Ｆ方向への押圧を除くと、可動接点体１４は、その弾性復元力によって元の状態に復帰し、可動接点となる第一端部１４Ａが固定接点１２Ａ，１３Ａから開離し、可動接点体１４の第二端部１４Ｂが操作体１６の駆動部１６Ｃを下方へ押し下げて、図１に示す通常状態（スイッチがオフ状態）に復帰する。
【００３５】
このように本実施の形態によれば、ケース１１内部に配置した弾性金属薄板製の可動接点体１４の第二端部１４Ｂを、ケース１１の一端に回動可能に備えた操作体１６により駆動させるように、可動接点体１４と操作体１６を横方向に配置することにより、高さ方向の寸法を小さくすることができるのでスイッチ全体を小型・薄型化できるものである。
【００３６】
また、操作体１６の操作部１６Ｂを押下することにより、可動接点体１４はまずケース１１の支点部１１Ｄを支点に回動するが、さらに操作体１６を押下させると、可動接点となる第一端部１４Ａがケース１１の固定接点１２Ａ，１３Ａに当接（オン状態）し、その後、可動接点体１４は第一端部１４Ａと固定接点１２Ａ，１３Ａの当接部を支点に回動することにより、可動接点体１４の連結部１４Ｃがケース１１の支点部１１Ｄから離れるので、第一端部１４Ａと固定接点１２Ａ，１３Ａが当接する前（オフ状態）と当接した後（オン状態）では、可動接点体１４に加わる力の位置関係（バランス）が変化するので、当接（オン状態）直後から一定の接触圧力が確保でき、一般的に用いられるスイッチの開閉接点の場合のような、接点オン時点から徐々に接触圧力が増大するものに対し、接触安定性の優れたスイッチを実現することができるものである。
【００３７】
なお、上記実施の形態において、図４の他の実施の形態の動作状態を示す側面断面図のように、操作体１８の操作部１８Ｂ先端に、操作部１８Ｂ根元部の厚さよりも大きな直径の略円柱形状とした先端部１８Ｅを設けることにより、スイッチを電子機器等の配線基板（図示せず）へ装着した場合に、操作体１８の操作部１８Ｂに被検出物（図示せず）により過負荷が加わっても、操作部１８Ｂ先端の略円柱形状の先端部１８Ｅのみで被検出物と配線基板に当接させ、操作部１８Ｂの先端部１８Ｅを除く箇所に直接被検出物による押圧力が加わらないようにできるため、スイッチ本体に過負荷を加えることがなく、スイッチの損傷を抑えることができるものである。
【００３８】
また、上記実施の形態において、図５の他の実施の形態を示すケースの底面図のように、ケース１９の内底面に導出用の端子２０，２１を有する一対の固定接点２０Ａ，２１Ａを、インサート成形固定すると共に、ケース１９裏面に導出される端子２０，２１の周囲に所定の間隔をおいて溝部２２を設けることにより、ケース１９を簡易に形成できると共に、配線基板等に実装する時に、フラックスがスイッチ内部に侵入することを抑止することができるものである。
【００３９】
（実施の形態２）
図６は本発明の第２の実施の形態によるスイッチの側面断面図、図７は同要部の外観斜視図であり、上記実施の形態１によるものに対して、可動接点体３１の舌片部３１Ｄ先端に略円弧状の突起部３１Ｆを設け、この突起部３１Ｆの根元側上面に当接するように、カバー３２下面に突部３２Ｃを設けたものであり、その他の部分は実施の形態１のものと同様である。
【００４０】
このように構成されたスイッチは、図６に示すように可動接点体３１を容易に位置規制することができ、オン位置精度が高く、接触信頼性が安定したスイッチを実現することができるものである。
【００４１】
（実施の形態３）
図８は本発明の第３の実施の形態による側面断面図、図９は操作体とケースの外観斜視図、図１０は同動作状態を示す側面断面図であり、上記実施の形態１または２によるものに対して、操作体３６の駆動部３６Ｃ上面に可動接点体３７の水平方向の動作を規制する段差部３６Ｄを設けると共に、可動接点体３７を駆動する駆動部３６Ｃ上面の位置を軸部３６Ａの回転中心位置より所定の間隔をおいて下方にずらして配置し、軸部３６Ａはケース３８の回転支持部３８Ａに回動可能に支持されたものであり、その他の部分は実施の形態１または２のものと同様である。
【００４２】
このように構成されたスイッチは、図８に示すように操作体３６の段差部３６Ｄにより、可動接点体３７の第二端部３７Ｂの水平方向の移動を規制されているため、図１０に示すように操作体３６を矢印Ｆ方向へ回動させスイッチを動作させた時、駆動部３６Ｃの回転運動の内、水平方向の成分が可動接点体３７を水平方向に移動させるので、その結果、接点接触時に接点間に摺動動作をもたらし、安定した接触安定性が得られるものである。
【００４３】
（実施の形態４）
図１１は本発明の第４の実施の形態によるカバーの外観斜視図であり、上記実施の形態１〜３によるものに対して、カバー４１を金属製のものとして、導出用の端子４１Ｂを設けたものであり、その他の部分は実施の形態１〜３のものと同様である。
【００４４】
このように構成されたスイッチは、カバー４１の導出用の端子４１Ｂと、可動接点体１４を介して、ケース１１に備えた複数の固定接点１２Ａ，１３Ａ間にスイッチ回路を構成できるものであり、開閉接点を複数個並列接続した接点構成になるので、接触信頼性に優れたスイッチを実現することができるものである。
【００４５】
なお、上記実施の形態１〜４において説明した可動接点体１４，３１，３７は、この構成に限定されるものではなく、例えば図１２に示すような第一端部４３Ａ略中央部から舌片部４３Ｄの中間部にかけて所定幅のスリット４３Ｇを設けた可動接点体４３にすることにより、固定接点１２Ａ，１３Ａのそれぞれに可動接点となる第一端部４３Ａ１，４３Ａ２が接離するので、接触安定性がさらに向上できるものである。
【００４６】
（実施の形態５）
図１３は本発明の第５の実施の形態による電子機器の断面図であり、同図に示すように、実施の形態１〜４において説明したスイッチを電子機器４６に搭載し、被検出物４７の有無をその操作体１６の操作部１６Ｂで検出するものであり、薄形のスイッチを搭載することにより、電子機器本体も小型薄型を実現できるものである。
【００４７】
【発明の効果】
以上のように本発明によれば、ケース内部に配置した弾性薄板製の可動接点体とケースの一端に回動可能に備えた操作体を横方向に配置して、可動接点体の第二端部を、操作体の一端で駆動してスイッチを動作させることができ、高さ方向の寸法を小さくすることができるのでスイッチ全体を小型・薄型化でき、かつ接触安定性の高いスイッチおよびこれを用いた電子機器を提供することができるものである。
【図面の簡単な説明】
【図１】本発明の第１の実施の形態によるスイッチの側面断面図
【図２】同分解斜視図
【図３】同動作状態を示す側面断面図
【図４】他の実施の形態の動作状態を示す側面断面図
【図５】他の実施の形態を示すケースの底面図
【図６】本発明の第２の実施の形態によるスイッチの側面断面図
【図７】同要部の外観斜視図
【図８】本発明の第３の実施の形態による側面断面図
【図９】同操作体とケースの外観斜視図
【図１０】同動作状態を示す側面断面図
【図１１】本発明の第４の実施の形態によるカバーの外観斜視図
【図１２】他の実施の形態を示す可動接点体の外観斜視図
【図１３】本発明の第５の実施の形態による電子機器の断面図
【図１４】従来のスイッチの側面断面図
【図１５】同ケース底面の平面図
【図１６】同分解斜視図
【図１７】同操作レバーの押圧途中の側面断面図
【図１８】同操作レバーのフルストローク状態を示す側面断面図
【符号の説明】
１１，１９  ケース
１１Ａ  回転支持部
１１Ｂ  開口部
１１Ｃ  内底面
１１Ｄ  支点部
１１Ｅ  突部
１２  第一端子
１２Ａ  第一固定接点
１３  第二端子
１３Ａ  第二固定接点
１４，３１，３７，４３  可動接点体
１４Ａ，４３Ａ，４３Ａ１，４３Ａ２  第一端部
１４Ｂ，３７Ｂ  第二端部
１４Ｃ  連結部
１４Ｄ，３１Ｄ，４３Ｄ  舌片部
１５，３２，４１  カバー
１５Ｃ  スナップ部
１６，１８，３６  操作体
１６Ａ，３６Ａ  軸部
１６Ｂ，１８Ｂ  操作部
１６Ｃ，３６Ｃ  駆動部
１８Ｅ  先端部
２０，２１  端子
２０Ａ，２１Ａ  固定接点
２２  溝部
３１Ｆ  突起部
３２Ｃ  突部
３６Ｄ  段差部
４１Ｂ  端子
４３Ｇ  スリット
４６  電子機器
４７  被検出物
【図１】
0003959900.tif 000002
【図２】
0003959900.tif 000003
【図３】
0003959900.tif 000004
【図４】
0003959900.tif 000005
【図５】
0003959900.tif 000006
【図６】
0003959900.tif 000007
【図７】
0003959900.tif 000008
【図８】
0003959900.tif 000009
【図９】
0003959900.tif 000010
【図１０】
0003959900.tif 000011
【図１１】
0003959900.tif 000012
【図１２】
0003959900.tif 000013
【図１３】
0003959900.tif 000014
【図１４】
0003959900.tif 000015
【図１５】
0003959900.tif 000016
【図１６】
0003959900.tif 000017
【図１７】
0003959900.tif 000018
【図１８】
0003959900.tif 000019